(57)【要約】【課題】  建物内の排水管を高圧洗浄する際に使用する洗浄装置のパイプの簡便、確実な養生を実現する。【解決手段】排水管洗浄装置のホースＨの外周より長い巾を有する短冊状のシートからなり、上記シートの短手方向両端にシートを筒状に折り曲げた状態で固定すべき係着部材１１Ａ、１１Ｂを設けると共に、シートの長手方向の一端又は両端に隣接するシート同士を連結すべき係着部材Ｆを設ける。【選択図】      図１
0003114171.tif 000002
【実用新案登録請求の範囲】
【請求項１】
排水管洗浄装置のホースの外周より長い巾を有する短冊状のシートからなり、上記シートの短手方向両端にシートを筒状に折り曲げた状態で固定すべき係着部材を設けると共に、シートの長手方向の一端又は両端に隣接するシート同士を連結すべき係着部材を設けたことを特徴とする排水管洗浄装置のカバー。
【請求項２】
次の２種類のカバーの組み合わせからなる請求項１記載の排水管洗浄装置のカバー。
(1) 排水管洗浄装置のホースの外周より長い巾を有する短冊状のシートからなり、上記シートの短手方向両端にシートを筒状に折り曲げた状態で固定すべき係着部材を設けると共に、シートの長手方向の両端に隣接するシート同士を連結すべき係着部材を設けた中間用カバー。
(2) 排水管洗浄装置のホースの外周より長い巾を有する短冊状のシートからなり、上記シートの短手方向両端にシートを筒状に折り曲げた状態で固定すべき係着部材を設け、シートの長手方向の一端に隣接するシート同士を連結すべき係着部材を設けると共に、他端にシート端を短手方向に収縮させるためのシャーリングを設けたエンド用カバー。
【請求項３】
カバー部材を構成するシートにクッション性を付与した請求項１又は２記載の排水管洗浄装置のカバー。
【考案の詳細な説明】
【技術分野】
【０００１】
この考案は、建物内の排水管を高圧洗浄する際に使用する洗浄装置のパイプを覆うためのカバーに関する。
【背景技術】
【０００２】
マンション等の集合住宅やホテル、ビル等の排水管に溜まった汚れ等の付着物を洗浄するために、排水管に洗浄ノズルを挿入し水を高圧力で噴射する洗浄装置が公知である。
【０００３】
上記装置においては高圧の水は高圧ポンプ装置からホースを介して洗浄ノズルに供給され、この場合、洗浄ノズルは各戸の風呂場や洗面所の排水口や厨房の排水口を利用して配管内に挿入される。一方、高圧ポンプ装置は大がかりなものなので洗浄ノズルの直近に配することはできず、建物内外の適宜箇所に設置しホースを各戸まで引き回して洗浄作業を行っていた。
【特許文献１】特開２００３−１８４１５１号公報
【考案の開示】
【考案が解決しようとする課題】
【０００４】
前記従来技術の洗浄装置においてはホースは固く、しかも濡れていたり汚れていたりすることが多く、そのまま引き回すと接触により屋内の壁や床を傷つけたり、汚したりするおそれがあった。そのため、従来は洗浄を行なう各戸の室内に養生シートを敷きつめる作業を行っていた。
【０００５】
しかしながら、前記の場合、養生シートを敷きつめる作業が煩雑なことはもとより、そのシート自体を常に汚れがないように保っていなくてはならなかった。又、ホースは単にシート上に位置しているに過ぎず、シートを外れて壁の角や家具に接触し、それらを傷つけたり汚したりすることもあった。
【課題を解決するための手段】
【０００６】
この考案のカバーは以上の従来技術の問題点に鑑みて創作されたものであり、排水管洗浄装置のホースの外周より長い巾を有する短冊状のシートからなり、上記シートの短手方向両端にシートを筒状に折り曲げた状態で固定すべき係着部材を設けると共に、シートの長手方向の一端又は両端に隣接するシート同士を連結すべき係着部材を設けたことを特徴とする。
【０００７】
上記カバーの使用に当たっては、カバーを筒状に折り曲げることによりホースに巻き付け、更に係着部材により短手方向両端同士を係着することにより、ホースはカバーにより被覆されることとなる。
【０００８】
又、長手方向の一端又は両端に設けた係着部材によりカバー同士を連結することによりカバーを任意の長さに延長してホースの所要箇所を被覆する。
【考案の効果】
【０００９】
よって、この考案のカバーによればホースはカバーにより被覆されるので、養生シートを使用しなくても屋内の壁や床、家具などを傷や汚れから保護することが可能となる。しかも、カバーはホースに被覆されることによりホースと一体となるので従来技術のようにホースが養生シート箇所から外れて壁の角や家具に接触することもない。
【００１０】
又、カバーは状況に応じてホースの所要箇所に取り付ければよく、連結により所要の長さに調整できるので取り付けが容易で、従来の養生シートに比べ作業が格段に容易になり養生のためのコストを低減することが可能となる。この場合、カバーが汚れた場合は汚れたカバーのみを交換すれば済み、他のカバーはそのまま使用できる利点もある。
【考案を実施するための最良の形態】
【００１１】
以下、この考案のカバーの具体的実施例を添付図面に基づいて説明する。図１はこの実施例のカバーをホースＨに使用した状態を示す斜視図である。ここでは、カバーとして、長手方向の両端に係着部材を設けた中間用カバー１０と、長手方向の一端にのみ係着部材を設けたエンド用カバー２０を組み合わせたものを例示する。
【００１２】
図２は中間用カバー１０の展開状態の裏面図である。上記カバー１０は排水管洗浄装置のホースＨの外周より長い巾を有する適宜長さの短冊状のシートからなり、ここでは一例として巾２０ｃｍ、長さ１５０ｃｍのものを例示する。
【００１３】
前記シートの短手方向両端にはシートを筒状に折り曲げた状態で固定すべき係着部材として、ベルベットファスナーの雄片１１Ａ、雌片１１Ｂを適宜間隔（ここでは１０〜１５ｃｍ）を置いて複数配している。又、シートの長手方向の両端には隣接するシート同士を連結すべき係着部材として、ファスナーＦ、Ｆを配している。そして、ここでは一端のファスナーＦをシート端より突出して配すると共に、他端のファスナーＦをシート端より内方に後退させてその裏面に配することにより、連結時にファスナーＦがシートの裏面に隠れて表面に表れないようにしている。
【００１４】
前記カバー１０を構成するシートとして、この実施例においては防水性を有する表裏の布地１０Ａ、１０Ｃ間に弾性に富むシート１０Ｂを積層したもの（図５参照）を採用することによりクッション性を付与し、カバーで被覆したホースが壁や家具などに接触した際に加わる衝撃を和らげるようにしている。
【００１５】
図３はエンド用カバー２０の展開状態の裏面図である。上記カバー２０の寸法、材質等の基本構成は前記中間用カバー１０と共通する。
【００１６】
前記エンド用カバー２０のシートの短手方向両端にはシートを筒状に折り曲げた状態で固定すべき係着部材として、ベルベットファスナーの雄片２１Ａ、雌片２１Ｂを適宜間隔（ここでは１０〜１５ｃｍ）を置いて複数配している。又、シートの長手方向の一端には隣接するシート同士を連結すべき係着部材として、ファスナーＦを配している。そして、ここではファスナーＦをシート端より内方に後退させてその裏面に配することにより、前記の中間用カバー１０の連結時にファスナーＦがシートの裏面に隠れて表面に表れないようにしている。
【００１７】
一方、上記シートの他端にはシート端を短手方向に収縮させることにより、筒状に折り曲げた際に当該箇所を直径方向に収縮させるためのシャーリング２２を配すると共に、シートを筒状に折り曲げた状態で固定すべき係着部材としてフック２３Ａ及び複数の係着箇所を有するフック受け２３Ｂを配し、上記フック及びフック受けにより筒状に折り曲げられた際のカバー２０の端部の直径をホースＨとの間で隙間を生じない程度のものにするようにしている。そして、更に被覆したカバー２０端を緊締できるように表裏にベルベットファスナーの係着面を配した緊締バンド２４をカバー端に配している（図４参照）。
【００１８】
以上のカバーは両端にエンド用カバー２０、２０を配し、中間に適宜枚数の中間用カバー１０を配して互いに連結して使用に供する。この場合、エンド用カバー２０、２０の端部は前記したようにホースＨを締めつけるように収縮して閉じられているので、ホースの水気や汚れはカバー内に封じ込まれ外に出ることが防止される。
【図面の簡単な説明】
【００１９】
【図１】この考案のカバーをホースに使用した状態を示す中間部省略斜視図。
【図２】中間用カバーの中間部省略裏面図。
【図３】エンド用カバーの中間部省略裏面図。
【図４】エンド用カバーの一端の構成を示す斜視図。
【図５】カバーの断面図。
【符号の説明】
【００２０】
Ｈ              ホース
１０            中間用カバー
２０            エンド用カバー
【図１】
0003114171.tif 000003
【図２】
0003114171.tif 000004
【図３】
0003114171.tif 000005
【図４】
0003114171.tif 000006
【図５】
0003114171.tif 000007